(57)【要約】【課題】情報処理結果を画像によりユーザに通知するデータ処理部および情報処理装置を提供する。【解決手段】この情報処理装置１００は、アプリケーション実行部１１０と、アプリケーション実行部１１０が処理結果として出力する文字データを受け取り、文字情報背景画像データに変換して出力するデータ処理部１２０と、アプリケーション実行部１１０から文字情報背景画像データを受け取り、情報処理装置１００のデスクトップ画面の背景画像として表示させるウィンドウ操作部１３０とを有して概略構成され、この内、データ処理部１２０は、情報処理装置１００の表示画面の大きさ等を含む画面情報を格納する画面情報格納部１２１と、文字データを文字画像データに変換するデータ変換部１２２と、背景画像データを作製する背景作製部１２３と、文字画像データと背景画像データとを合成する画像合成部１２４とを有して概略構成されている。【選択図】    図１
2007114687.tif 000002
【特許請求の範囲】
【請求項１】
アプリケーションプログラムを実行するアプリケーション実行部が処理結果として出力する文字データを受け取り、文字画像データに変換するデータ変換部と、
表示画面の背景画像データを作製する背景作製部と、
前記文字画像データと前記背景画像データを合成して文字情報背景画像データを作製し、前記アプリケーション実行部に出力する画像合成部と、
を含むことを特徴とするデータ処理部。
【請求項２】
前記データ変換部は、前記表示画面の大きさ等の情報に基づいて文字画像データを作製することを特徴とする請求項１に記載のデータ処理部。
【請求項３】
前記背景作製部は、前記表示画面の大きさ等の情報に基づいて背景画像データを作製することを特徴とする請求項１に記載のデータ処理部。
【請求項４】
前記データ変換部は、前記文字画像データを変形させることにより、機械判読による解読を困難にする機能を有することを特徴とする請求項１に記載のデータ処理部。
【請求項５】
アプリケーションプログラムを実行するアプリケーション実行部と、
前記アプリケーション実行部が処理結果として出力する文字データを受け取り、文字画像データに変換するデータ変換部と、表示画面の背景画像データを作製する背景作製部と、前記文字画像データと前記背景画像データを合成して文字情報背景画像データを作製し、前記アプリケーション実行部に出力する画像合成部と、を含むデータ処理部と、
画像を表示する表示部と、
前記文字情報背景画像データをデスクトップ画面の背景画像として前記表示部に表示させるウィンドウ操作部と、
を有することを特徴とする情報処理装置。
【請求項６】
アプリケーションプログラムを実行するアプリケーション実行部と、
前記アプリケーション実行部が処理結果として出力する文字データを受け取り、文字画像データに変換するデータ変換部と、表示画面の背景画像データを作製する背景作製部と、前記文字画像データと前記背景画像データを合成して文字情報背景画像データを作製し、前記アプリケーション実行部に出力する画像合成部と、を含むデータ処理部と、
外部の情報機器に前記文字情報背景画像データを電子メールにより送信する電子メール送信部と、
を有することを特徴とする情報処理装置。
【請求項７】
アプリケーションプログラムを実行するアプリケーション実行部と、
前記アプリケーション実行部が処理結果として出力する文字データを受け取り、文字画像データに変換するデータ変換部と、表示画面の背景画像データを作製する背景作製部と、前記文字画像データと前記背景画像データを合成して文字情報背景画像データを作製し、前記アプリケーション実行部に出力する画像合成部と、を含むデータ処理部と、
Ｗｅｂサーバに前記文字情報背景画像データを転送するデータ転送部と、
を有することを特徴とする情報処理装置。
【請求項８】
前記データ変換部は、前記文字画像データを変形させることにより、機械判読による解読を困難にする機能を有することを特徴とする請求項６または７に記載の情報処理装置。
【発明の詳細な説明】
【技術分野】
【０００１】
本発明は、情報処理結果を画像によりユーザに通知するデータ処理部および情報処理装置に関する。
【背景技術】
【０００２】
近年、放送のデジタル化による放送と通信の技術的な融合から、電波を通して行われる放送の他に、電話回線やインターネットなどのネットワークを通して行われる通信という形でＴＶ番組を視聴できるようになってきている。
【０００３】
それに伴い、ＴＶ番組の視聴には、従来のテレビジョン装置等の家電機器に加え、パソコン、携帯電話等のディスプレイ装置を有する情報機器が用いられるようになっている。
【０００４】
このような情報機器は、従来の家電機器と比較して、情報機器ならではの特徴的な機能を有する。例えば、パソコンにおいてＴＶ番組の予約録画を行った場合、予約処理を担うアプリケーションが予約処理を実行し、その結果をダイアログウィンドウ等により画面に表示することにより、ユーザに通知する。それにより、例えば、録画予約したＴＶ番組が何らかの事情により放送されなかった場合においても、ユーザは録画が予定通りに行われなかったことを認識することができる。
【０００５】
一方、電子メールの文字コードを画像に変換してから送信することにより、フォントのインストールされていない端末においても、電子メールを読むことができるという技術が報告されている（例えば、特許文献１参照）。
【特許文献１】特開２００２−３４２２４３号公報
【発明の開示】
【発明が解決しようとする課題】
【０００６】
しかし、従来のＴＶ番組視聴機能を有する情報機器によると、アプリケーション終了した場合、処理状況の表示等がアプリケーションの終了と同時に消去されてしまうため、ユーザが状況を認識することができないという問題点があった。
【０００７】
また、特許文献１に記載の技術は、あくまで電子メールの文字情報を画像データに変換するものであり、上記の従来のＴＶ番組視聴機能を有する情報機器の問題を解決できるものではない。
【０００８】
従って、本発明の目的は、アプリケーションが終了した状態においても、ユーザが実行結果を認識することができるデータ処理部および情報処理装置を提供することである。
【課題を解決するための手段】
【０００９】
本発明の第１の態様は、上記目的を達成するため、アプリケーションプログラムを実行するアプリケーション実行部が処理結果として出力する文字データを受け取り、文字画像データに変換するデータ変換部と、表示画面の背景画像データを作製する背景作製部と、前記文字画像データと前記背景画像データを合成して文字情報背景画像データを作製し、前記アプリケーション実行部に出力する画像合成部と、を含むことを特徴とするデータ処理部を提供する。
【００１０】
また、本発明の他の一態様は、上記目的を達成するため、アプリケーションプログラムを実行するアプリケーション実行部と、前記アプリケーション実行部が処理結果として出力する文字データを受け取り、文字画像データに変換するデータ変換部と、表示画面の背景画像データを作製する背景作製部と、前記文字画像データと前記背景画像データを合成して文字情報背景画像データを作製し、前記アプリケーション実行部に出力する画像合成部と、を含むデータ処理部と、画像を表示する表示部と、前記文字情報背景画像データをデスクトップ画面の背景画像として前記表示部に表示させるウィンドウ操作部と、を有することを特徴とする情報処理装置を提供する。
【００１１】
また、本発明の他の一態様は、上記目的を達成するため、アプリケーションプログラムを実行するアプリケーション実行部と、前記アプリケーション実行部が処理結果として出力する文字データを受け取り、文字画像データに変換するデータ変換部と、表示画面の背景画像データを作製する背景作製部と、前記文字画像データと前記背景画像データを合成して文字情報背景画像データを作製し、前記アプリケーション実行部に出力する画像合成部と、を含むデータ処理部と、外部の情報機器に前記文字情報背景画像データを電子メールにより送信する電子メール送信部と、を有することを特徴とする情報処理装置を提供する。
【００１２】
また、本発明の他の一態様は、上記目的を達成するため、アプリケーションプログラムを実行するアプリケーション実行部と、前記アプリケーション実行部が処理結果として出力する文字データを受け取り、文字画像データに変換するデータ変換部と、表示画面の背景画像データを作製する背景作製部と、前記文字画像データと前記背景画像データを合成して文字情報背景画像データを作製し、前記アプリケーション実行部に出力する画像合成部と、を含むデータ処理部と、Ｗｅｂサーバに前記文字情報背景画像データを転送するデータ転送部と、を有することを特徴とする情報処理装置を提供する。
【００１３】
前記アプリケーション実行部は、例えば、アプリケーションプログラムを実行する半導体装置等のハードウェアである。また、アプリケーションプログラム自身であってもよい。
【００１４】
前記データ処理部は、例えば、前記アプリケーション実行部に呼び出されて実行されるサブルーチンプログラムである。
【００１５】
前記背景画像データは、例えば、Ｗｉｎｄｏｗｓ（登録商標）においては壁紙、Ｍａｃ  ＯＳ（登録商標）においてはデスクトップピクチャと呼ばれているものである。
【００１６】
前記データ変換部は、前記表示画面の大きさ等の情報に基づいて文字画像データを作製することができる。また、前記文字画像データを変形させることにより、機械判読による解読を困難にすることができる。
【００１７】
ウィンドウ操作部は、例えばウィンドウシステム（コンピュータ上でウィンドウを操作するためのソフトウェア）であり、ウィンドウの他に、デスクトップ画面の背景画像データを扱うこともできる。
【００１８】
前記変形は、例えば、文字を歪めたり、文字の配列を崩したりする処理を指し、ＯＣＲ（Ｏｐｔｉｃａｌ  Ｃｈａｒａｃｔｅｒ  Ｒｅａｄｅｒ）処理等による機械判読を困難にするためのものである。
【００１９】
前記外部の情報機器は、例えば、携帯電話、ＰＤＡ（Ｐｅｒｓｏｎａｌ  Ｄｉｇｉｔａｌ  Ａｓｓｉｓｔａｎｃｅ）、ノートパソコン等である。
【００２０】
前記電子メール送信部は、例えば、電子メールアプリケーションソフトウェアである。
【００２１】
前記データ転送部は、例えば、ＦＴＰクライアント等のデータ転送アプリケーションソフトウェアである。
【００２２】
前記背景作製部は、前記表示画面の大きさ等の情報に基づいて背景画像データを作製することができる。
【００２３】
上記本発明の一態様によれば、前記アプリケーション実行部の実行結果をダイアログウィンドウ内の文字データとしてではなく、背景画像として表示するため、前記アプリケーション実行部の実行するアプリケーションプログラムが終了した後も表示が消えず、ユーザが実行結果を認識することが可能となる。
【００２４】
また、上記本発明の一態様によれば、前記アプリケーション実行部の実行結果を背景画像として表示するため、ダイアログウィンドウの生成により、前記情報処理装置の表示画面内のユーザの操作が妨げられるといった事態が生じない。
【００２５】
また、上記本発明の一態様によれば、ユーザが屋外等の前記情報処理装置から離れた場所にいる場合でも、身近にある前記情報機器に届く電子メールの添付画像を閲覧したり、前記情報機器からＷｅｂサーバにアクセスしたりすることにより、前記アプリケーション実行部の実行結果を認識することができる。
【００２６】
また、上記本発明の一態様によれば、実行結果を文字データではなく画像データとして送信することにより、受信側の前記情報機器に文字の表示に必要なフォントデータが必要とされないため、前記情報機器の種類に係わらず、前記アプリケーション実行部の実行結果を認識することができる。
【００２７】
また、上記本発明の一態様によれば、実行結果を文字データではなく画像データとして送信し、かつ、変形させることにより、機械判読を困難し、セキュリティを向上させることができる。
【発明の効果】
【００２８】
本発明によれば、アプリケーションが終了した状態においても、ユーザが実行結果を認識することができるデータ処理部および情報処理装置を提供することができる。
【発明を実施するための最良の形態】
【００２９】
〔第１の実施の形態〕
この第１の実施の形態においては、アプリケーション実行部の実行するアプリケーションプログラムとしてＴＶ録画プログラムを用いた場合について説明する。
【００３０】
（情報処理装置の構成）
図１は、本発明の第１の実施の形態に係る情報処理装置の構成を示すブロック図である。なお、同図においては、本実施の形態の特徴部分のみを示しており、情報処理装置の本来的な機能を担う部分については省略している。
【００３１】
この情報処理装置１００は、アプリケーション実行部１１０と、アプリケーション実行部１１０が処理結果として出力する文字データを受け取り、文字情報背景画像データに変換して出力するデータ処理部１２０と、アプリケーション実行部１１０から文字情報背景画像データを受け取り、情報処理装置１００のデスクトップ画面の背景画像として表示させるウィンドウ操作部１３０とを有して概略構成されている。
【００３２】
ここで、デスクトップ画面とは、ＯＳ（Ｏｐｅｒａｔｉｎｇ  Ｓｙｓｔｅｍ）を起動したときに表示される、基本となる操作画面のことをいい、デスクトップ画面上には、各種アイコン、ウィンドウ等が置かれる。
【００３３】
データ処理部１２０は、情報処理装置１００の表示画面の大きさ等を含む画面情報を格納する画面情報格納部１２１と、文字データを文字画像データに変換するデータ変換部１２２と、背景画像データを作製する背景作製部１２３と、文字画像データと背景画像データとを合成する画像合成部１２４とを有して概略構成されている。
【００３４】
データ変換部１２２は、アプリケーション実行部１１０から受け取った文字データの文字を画像として含む文字画像データを作製する。文字画像データの作製は、予め用意された各文字に対応する画像データを用いることにより行われる。
【００３５】
データ変換部１２２が文字画像データを作製する際、文字画像データの様式を画面情報格納部１２１に格納されている情報処理装置１００の画面情報に基づいて決定する。例えば、情報処理装置１００の表示画面が小さい場合は、文字が画面に収まるような大きさ、配置になるように文字画像データを作製する。
【００３６】
背景作製部１２３は、データ変換部１２２が作製する文字画像データの背景となる背景画像データを作製する。その際、背景画像データの様式を画面情報格納部１２１に格納されている情報処理装置１００の画面情報に基づいて決定する。例えば、背景画像データの大きさを情報処理装置１００の表示画面の大きさと一致させる。なお、背景画像データは、新たに作製するのではなく、その時点でデスクトップ画面の背景に使用しているものを使用しても良い。
【００３７】
画像合成部１２４は、データ変換部１２２が作製した文字画像データと、背景作製部１２３が作製した背景画像データを合成する。この際、文字画像データの配置を決定することができる。例えば、文字画像データの大きさが背景画像データの大きさと比較して十分に小さい場合、文字画像データが背景画像データ上の右側に位置するように配置される。
【００３８】
（情報処理装置の動作）
図２は、本発明の第１の実施の形態に係る情報処理装置の動作手順を示すフローチャートである。
【００３９】
まず、アプリケーション実行部１１０の実行するアプリケーションプログラムとしてのＴＶ録画プログラムが実行されると（ステップＡ１）、その実行結果（例えば、番組の放送時間のずれによる録画失敗の通知）が文字データとして、データ処理部１２０内のデータ変換部１２２に出力される（ステップＡ２）。
【００４０】
次に、データ変換部１２２が、画面情報格納部１２１に格納されている情報処理装置１００の画面情報に基づいて、入力された文字データの文字を画像として含む文字画像データを作製する（ステップＡ３）。
【００４１】
次に、背景作製部１２３が、画面情報格納部１２１に格納されている情報処理装置１００の画面情報に基づいて、文字画像データの背景となる背景画像データを作製する（ステップＡ４）。
【００４２】
次に、画像合成部１２４が、データ変換部１２２が作製した文字画像データと、背景作製部１２３が作製した背景画像データを合成して、文字情報背景画像データを作製し（ステップＡ５）、アプリケーション実行部１１０に出力する（ステップＡ６）。
【００４３】
次に、文字情報背景画像データは、ウィンドウ操作部１３０に出力され、ウィンドウ操作部１３０により情報処理装置１００の表示部（図示しない）のデスクトップ画面に背景画像として表示される（ステップＡ７）。
【００４４】
（第１の実施の形態の効果）
この第１の実施の形態によれば、アプリケーション実行部１１０の実行結果をダイアログウィンドウ内の文字データとしてではなく、背景画像として表示するため、アプリケーション実行部１１０が実行するアプリケーションプログラムとしてのＴＶ録画プログラムが終了した後も表示が消えず、ユーザが実行結果を認識することができる。
【００４５】
また、アプリケーション実行部１１０の実行結果を背景画像として表示するため、ダイアログウィンドウの生成により、情報処理装置１００の表示画面内のユーザの操作が妨げられるといった事態が生じない。
【００４６】
〔第２の実施の形態〕
本発明の第２の実施の形態に係る情報処理装置は、アプリケーション実行部の実行結果を外部の情報機器から認識できるという点で第１の実施の形態と異なる。なお、第１の実施の形態と同様である点については、説明を省略する。
【００４７】
（情報処理装置の構成）
図３は、本発明の第２の実施の形態に係る情報処理装置の構成を示すブロック図である。なお、同図においては、本実施の形態の特徴部分のみを示しており、情報処理装置の本来的な機能を担う部分については省略している。
【００４８】
この情報処理装置１００は、第１の実施の形態に係る情報処理装置１００の構成に加えて、画像情報伝送部１４０を有して概略構成されている。
【００４９】
画像情報伝送部１４０は、Ｗｅｂサーバに前記文字情報背景画像データを転送するデータ転送部１４１と、外部の情報機器に前記文字情報背景画像データを送信する電子メール送信部１４２とを有して概略構成されている。
【００５０】
データ変換部１２２は、作製した文字画像データを変形させる機能を有する。ここで、変形とは、例えば、文字を歪めたり、文字の配列を崩したりする処理を指し、ＯＣＲ（Ｏｐｔｉｃａｌ  Ｃｈａｒａｃｔｅｒ  Ｒｅａｄｅｒ）処理等による機械判読を困難にするためのものである。
【００５１】
（情報処理装置の動作）
図４は、本発明の第２の実施の形態に係る情報処理装置の動作手順を示すフローチャートである。なお、ステップＢ１〜Ｂ２は、題意の実施の形態に係る情報処理装置の動作手順のステップＡ１〜Ａ２と同様であるので、説明を省略する。
【００５２】
ステップＢ１〜Ｂ２を経た後、データ変換部１２２が、画面情報格納部１２１に格納されている情報処理装置１００および外部の情報機器の画面情報に基づいて、入力された文字データの文字を画像として含む文字画像データを情報処理装置１００用と外部の情報機器用にそれぞれ作製する（ステップＢ３）。
【００５３】
次に、データ変換部１２２は、作製した外部の情報機器用の文字画像データを変形させる（ステップＢ４）。
【００５４】
次に、背景作製部１２３が、画面情報格納部１２１に格納されている情報処理装置１００および外部の情報機器の画面情報に基づいて、文字画像データの背景となる背景画像データを情報処理装置１００用と外部の情報機器用にそれぞれ作製する（ステップＢ５）。
【００５５】
次に、画像合成部１２４が、データ変換部１２２が作製した文字画像データと、背景作製部１２３が作製した背景画像データを合成して、文字情報背景画像データを情報処理装置１００用と外部の情報機器用にそれぞれ作製し（ステップＢ６）、アプリケーション実行部１１０に出力する（ステップＢ７）。
【００５６】
なお、画像データの変形は、文字画像データと背景画像データを合成した後に、文字情報背景画像データに対して、画像合成部１２４により行われてもよい。
【００５７】
次に、情報処理装置１００用の文字情報背景画像データは、ウィンドウ操作部１３０に出力され、ウィンドウ操作部１３０により情報処理装置１００の表示部（図示しない）のデスクトップ画面に背景画像として表示される（ステップＢ８）。
【００５８】
また、ステップＢ８と同時に、外部の情報機器用の文字情報背景画像データは、画像情報伝送部１４０に含まれるデータ転送部１４１に出力され、インターネットを通じてＷｅｂサーバに転送される（ステップＢ９）。
【００５９】
なお、Ｗｅｂサーバは、Ｗｅｂサーバソフトウェア等として、情報処理装置１００の内部にあるものであってもよい。その場合は、データ転送部１４１からＷｅｂサーバへのデータ転送は、インターネットを用いずに、情報処理装置１００の内部で行われる。
【００６０】
また、ステップＢ８、Ｂ９と同時に、外部の情報機器用の文字情報背景画像データは、画像情報伝送部１４０に含まれる電子メール送信部１４２に出力され、ユーザが携帯している携帯電話等の外部の情報機器に、画像添付ファイルとして送信される（ステップＢ１０）。
【００６１】
図５（ａ）、（ｂ）は、本発明の第２の実施の形態に係る文字情報背景画像データの一例を示す概略図である。
【００６２】
図５（ａ）は、情報処理装置１００がパソコンであった場合の、情報処理装置１００用の文字情報背景画像データを示す。この場合は、同図に示すように、通常デスクトップ画面の左側にアイコンが配置されることが多いところ、文字情報を文字情報背景画像データの右側に配置することにより、アイコンに重ならずに文字情報を読むことができる。
【００６３】
図５（ｂ）は、外部の情報機器が携帯電話であった場合の、外部の情報機器用の文字情報背景画像データを示す。この場合は、同図に示すように、通常携帯電話表示部の表示画面が小さいところ、文字情報を文字情報背景画像データの全面に大きく配置することにより、小さい表示画面においても容易に文字情報を読むことができる。
【００６４】
（第２の実施の形態の効果）
この第２の実施の形態によれば、ユーザが屋外等の情報処理装置１００から離れた場所にいる場合でも、身近にある情報機器に届く電子メールの添付画像を閲覧することにより、アプリケーション実行部１１０の実行結果を認識することができる。
【００６５】
また、ユーザが屋外等の情報処理装置１００から離れた場所にいる場合でも、身近にある情報機器からＷｅｂサーバにアクセスすることにより、アプリケーション実行部１１０の実行結果を認識することができる。
【００６６】
また、実行結果を文字データではなく画像データとして送信することにより、受信側の情報機器に文字の表示に必要なフォントデータが必要とされないため、情報機器の種類に係わらず、アプリケーション実行部１１０の実行結果を認識することができる。
【００６７】
また、実行結果を文字データではなく画像データとして送信し、かつ、変形させることにより、機械判読を困難し、セキュリティを向上させることができる。
【００６８】
なお、本発明は、上記各実施の形態に限定されず、発明の趣旨を逸脱しない範囲内において種々変形実施が可能である。例えば、上記各実施の形態においては、アプリケーション実行部の実行するアプリケーションプログラムとしてＴＶ録画プログラムを用いて説明しているが、実際はこれに限られない。
【００６９】
また、発明の趣旨を逸脱しない範囲内において上記各実施の形態の構成要素を任意に組み合わせることができる。
【図面の簡単な説明】
【００７０】
【図１】本発明の第１の実施の形態に係る情報処理装置の構成を示すブロック図である。
【図２】本発明の第１の実施の形態に係る情報処理装置の動作手順を示すフローチャートである。
【図３】本発明の第２の実施の形態に係る情報処理装置の構成を示すブロック図である。
【図４】本発明の第２の実施の形態に係る情報処理装置の動作手順を示すフローチャートである。
【図５】（ａ）、（ｂ）は、本発明の第２の実施の形態に係る文字情報背景画像データの一例を示す概略図である。
【符号の説明】
【００７１】
１００    情報処理装置
１１０    アプリケーション実行部
１２０    データ処理部
１２１    画面情報格納部
１２２    データ変換部
１２３    背景作製部
１２４    画像合成部
１３０    ウィンドウ操作部
１４０    画像情報伝送部
１４１    データ転送部
１４２    電子メール送信部
【図１】
2007114687.tif 000003
【図２】
2007114687.tif 000004
【図３】
2007114687.tif 000005
【図４】
2007114687.tif 000006
【図５】
2007114687.tif 000007